(57)【特許請求の範囲】
【請求項１】
断熱シートと、発熱シートと、カバーに３分割されて構成された面状採暖具で、前記断熱シート上面には、発熱シートを載置するための凹部を設けるとともに、凹部には前記発熱シートとの着脱自在な機械的固定手段を設けることにより、発熱シート部と一体化せしめ、さらにその上面にカバーを載置して使用するようにした電気面状採暖具において、前記断熱シートは裏面材と表面材の間に軟質樹脂発泡成形するとともに、
前記裏面材、表面材には防滑シートを用いた電気面状採暖具。
【請求項２】
断熱シートと、発熱シートと、カバーに３分割されて構成された面状採暖具で、前記断熱シート上面には、発熱シートを載置するための凹部を設けるとともに、凹部には前記発熱シートとの着脱自在な機械的固定手段を設けることにより、発熱シート部と一体化せしめ、さらにその上面にカバーを載置して使用するようにした電気面状採暖具において、前記断熱シートは裏面材と表面材の間に軟質樹脂発泡成形するとともに、前記表面材には面ファスナーを用い、かつ発熱シートの断熱シートに面する面にも面ファスナーを用いるようにした電気面状採暖具。
【請求項３】
断熱シートと、発熱シートと、カバーに３分割されて構成された面状採暖具で、前記断熱シート上面には、発熱シートを載置するための凹部を設けるとともに、凹部には前記発熱シートとの着脱自在な機械的固定手段を設けることにより、発熱シート部と一体化せしめ、さらにその上面にカバーを載置して使用するようにした電気面状採暖具において、前記断熱シートは、裏面材、表面材、軟質発泡樹脂が同一材料で構成された電気面状採暖具。
【請求項４】
断熱シートには、部分的な凹凸形状を付与した請求項１〜３のいずれか１項に記載の電気面状採暖具。
【発明の詳細な説明】
【０００１】
【発明の属する技術分野】
本発明は、電気カーペット等の電気採暖具に関するものである。
【０００２】
【従来の技術】
従来、この種の電気採暖具としては、図７に示すような構成が一般的であった。
【０００３】
図８において、１０は発熱体、１１は表面材、１２は断熱材、１３は接着層、１４はカバーである。発熱体１０は、表面材１１に固定されており、また、断熱材１２と表面材１１は接着層１３により一体固定されている。また、表面材１１の上方にはデザイン性の良いカバー１４が乗せてある。
【０００４】
【発明が解決しようとする課題】
しかしながら、昨今資源の枯渇の危機、廃棄物の処理方法が社会問題となり製品を各材料毎に分別して、再利用するリサイクルの必要性が出てきた。しかし上記従来の構成の電気面状採暖具では、発熱体１０と表面材１１と断熱材１２は接着層１３により接着一体固定させる為、リサイクルの為に発熱体１と表面材１１と断熱材１２と接着層１３の分別が困難であるという課題を有していた。
【０００５】
本発明は、前記従来の課題を解決するもので、容易に分別出来る電気面状採暖具を提供することを目的とする。
【０００６】
【課題を解決するための手段】
前記従来の課題を解決するために、断熱シートと、発熱シートと、カバーに３分割されて構成された面状採暖具で、前記断熱シート上面には、発熱シートを載置するための凹部を設けるとともに、凹部には前記発熱シートとの着脱自在な機械的固定手段を設けることにより、発熱シート部と一体化せしめ、さらにその上面にカバーを載置して使用するよう構成したものである。
【０００７】
これによって、面状採暖具の各パーツが容易に分別出来、リサイクルが可能となる。
【０００８】
【発明の実施の形態】
請求項１に記載の発明は、断熱シートと、発熱シートと、カバーに３分割されて構成された面状採暖具で、前記断熱シート上面には、発熱シートを載置するための凹部を設けるとともに、凹部には前記発熱シートとの着脱自在な機械的固定手段を設けることにより、発熱シート部と一体化せしめ、さらにその上面にカバーを載置して使用するようにした電気面状採暖具において、前記断熱シートを、裏面材と表面材の間に軟質樹脂発泡成形するとともに、前記裏面材、表面材には防滑シートを用いて構成した物である。
【０００９】
そして、断熱シートの両面が、防滑シートで構成されていることにより、床面との防滑性、発熱シートのズレを防ぐ効果を付与することが可能となる。
【００１０】
請求項２に記載の発明は、断熱シートと、発熱シートと、カバーに３分割されて構成された面状採暖具で、前記断熱シート上面には、発熱シートを載置するための凹部を設けるとともに、凹部には前記発熱シートとの着脱自在な機械的固定手段を設けることにより、発熱シート部と一体化せしめ、さらにその上面にカバーを載置して使用するようにした電気面状採暖具において、前記断熱シートを、裏面材と表面材の間に軟質樹脂発泡成形するとともに、前記表面材には面ファスナーを用い、かつ発熱シートの断熱シートに面する面にも面ファスナーを用いるよう構成した物である。
【００１１】
そして、断熱シートの上面と、発熱シートの下面が面ファスナーで構成されることにより、発熱シートのズレ防止、強固な固定が可能となる。
【００１２】
請求項３に記載の発明は、断熱シートと、発熱シートと、カバーに３分割されて構成された面状採暖具で、前記断熱シート上面には、発熱シートを載置するための凹部を設けるとともに、凹部には前記発熱シートとの着脱自在な機械的固定手段を設けることにより、発熱シート部と一体化せしめ、さらにその上面にカバーを載置して使用するようにした電気面状採暖具において、前記断熱シートを、裏面材、表面材、軟質樹脂発泡材の同一材料で構成したものである。
【００１３】
そして、断熱シートが分離独立しかつ同一材料で構成されていることにより、断熱シートのリサイクルが容易に可能となる。
【００１４】
請求項４に記載の発明は、特に請求項１〜３記載の断熱シートに、部分的な凹凸形状を付与し構成したものである。
【００１５】
そして、断熱シートの床面側の凹凸は空気断熱効果により、床面への放熱ロスを防ぎ、断熱シートの発熱シート側の凹凸は、発熱シートからの熱が断熱シートへ伝わるのを防ぐ効果を付与することが可能となる。
【００１６】
【実施例】
以下、本発明の実施例について、図１〜７を参照しながら説明する。
【００１７】
（実施例１）
図１は本発明の実施例１の電気面状採暖具の概略構成図である。
【００１８】
図２は本発明の実施例１の電気面状採暖具の断面図構成図である。
【００１９】
図１、２において、断熱シート１と、発熱シート２と、カバー３に３分割されて構成された面状採暖具で、前記断熱シート１上面には、発熱シート２を載置するための凹部１−ａを設けるとともに、凹部１−ａには前記発熱シート２との着脱自在な機械的固定手段１−ｂを設けることにより、発熱シート部２と一体化せしめ、さらにその上面にカバー３を載置して使用するよう構成される。
【００２０】
以上のように構成された電気面状採暖具について、以下その作用を説明する。
【００２１】
電気面状採暖具は、面状に発熱した熱をできるだけ床面に伝えず上面側へ伝えることで採暖の熱効率を高める必要がある。従って、発熱部の下面には断熱構成が必要となる。また、一方電気面状採暖具は、採暖者が直接座ることにより暖を採るため、直接座る面は、清潔性、インテリア性、風合い等が重視される。本発明の実施例１の構成は、断熱シート１と発熱シート２とカバー３が３分割されていることにより、各々が分離独立して各々の機能を発揮させることが可能となる。断熱シート１は断熱性能を重視しかつ、発熱シート２を載置するための凹部１−ａを設けることにより、発熱シート２を収まり良く一体化することが可能となる。また、凹部１−ａには、発熱シート２との着脱自在な機械的固定手段１−ｂを設けてあることにより、断熱シート１と発熱シート２が容易にズレることを防ぐ効果が得られる。また、発熱シート２は発熱機能に特化できるので、薄厚でシンプルな構成が可能となる。また、カバー３も分離独立していることにより、自由に選択交換が可能となる。
【００２２】
以上のように、本実施例においては、断熱シート１と、発熱シート２と、カバー３に３分割されて構成された面状採暖具で、前記断熱シート１上面には、発熱シート２を載置するための凹部１−ａを設けるとともに、凹部１−ａには前記発熱シート２との着脱自在な機械的固定手段１−ｂを設けることにより、発熱シート部２と一体化せしめ、さらにその上面にカバー３を載置して使用するよう構成することにより、各々のパーツが分離独立して各々の機能を発揮しやすくなると共に、リサイクルにおいても容易な構成となりうるものである。また、用途や使用する場所に応じて、最適なパーツへの交換も容易ならしめるものである。また、収納時においても、個々のパーツに分割収納できることにより、収納のしやすさも得られることとなる。
【００２３】
（実施例２）
図３は本発明の実施例２の電気面状採暖具の断熱シートの断面構成図である。
【００２４】
図３において、断熱シート１は、所定の形状に軟質樹脂発泡成形により成形構成されたものである。
【００２５】
以上のように構成された電気面状採暖具について、以下その作用を説明する。
【００２６】
基本的な構成は本発明の実施例１で説明した内容と同等である。実施例２の構成は、断熱シート１を軟質発泡樹脂４で発泡成形で構成することにより、断熱シート１の形状を自由に加工構成が可能となることである。図３に示すように、断熱シート１の表面に凹部１−ａが自在に構成可能となる。また、凹部１−ａの周辺部に機械的固定手段１−ｂを成形により構成することが可能となる。
【００２７】
以上のように、本実施例においては断熱シート１を軟質発泡樹脂成形で構成することにより、断熱シート１の形状を自在に形づくることが可能となり、加工を容易とすることができる。
【００２８】
（実施例３）
図４は本発明の実施例３の電気面状採暖具の断熱シートの断面図構成図である。
【００２９】
図４において、断熱シート１は裏面材５と表面材６の間に軟質樹脂発泡成形するとともに、前記裏面材５、表面材６には防滑シート７を用いて構成されている。
【００３０】
以上のように構成された電気面状採暖具について、以下その作用を説明する。断熱シート１の両面に防滑シート７を使用することにより、床面に対する防滑性と、発熱シート２との防滑性が確保される。そのことにより、電気面状発熱体を３分割して構成することによるズレの発生を防ぐ効果が得られるものである。
【００３１】
（実施例４）
図５は、本発明の実施例４の電気面状採暖具の断面図構成図である。
【００３２】
図５において、断熱シート１は裏面材５と表面材６の間に軟質樹脂発泡成形するとともに、前記表面材５には面ファスナー８を用い、かつ発熱シート２の断熱シート１に面する面にも面ファスナー８を用いるように構成したものである。
【００３３】
以上のように構成された電気面状採暖具について、以下その作用を説明する。断熱シート１の表面材５に面ファスナー８を使用しかつ発熱シート２の裏面にも面ファスナー８を使用することにより、断熱シート１と発熱シート２との機械的固定が可能となる。そのことにより、電気面状発熱体を３分割して構成することによるズレの発生を防ぐ効果が得られるものである。
【００３４】
（実施例５）
図６は、本発明の実施例５の電気面状採暖具の断面図構成図である。
【００３５】
図６において、断熱シート１は、裏面材５、表面材６、軟質発泡樹脂４が同一材料で構成されたものである。
【００３６】
以上のように構成された電気面状採暖具について、以下その作用を説明する。断熱シート１は、電気面状採暖具をリサイクルする際、分割されて構成されているため分別することは容易である。更に同一材料で構成されていることにより、リサイクルの実現性が高まるものとなる。
【００３７】
（実施例６）
図７は、本発明の実施例６の電気面状採暖具の断面図構成図である。
【００３８】
図７において断熱シート１には、部分的な凹凸形状１−ｃを付与して構成したものである。
【００３９】
以上のように構成された電気面状採暖具について、以下その作用を説明する。断熱シート１の裏面及び表面各々に凹凸形状１−ｃが付与されている。断熱シート１は軟質樹脂発泡成形により成形加工されることにより、自由に形状を付与できる特徴を有している。裏面及び表面に付与された凹凸形状１−ｃにより、空気断熱層を確保することとなる。床面に対しては裏面の凹凸形状１−ｃが空気断熱層の働きとなり、発熱シート２で発生した熱が床面に対して伝わることを防ぐ効果が得られる。
【００４０】
また、発熱シート２に面した凹凸形状１−ｃは、発熱シート２で発生した熱が断熱シート１に対しても伝わりにくくする効果が得られることとなる。
【００４１】
以上の効果により、発熱シート２で発生した熱は、本来伝わるべき方向であるカバー３側へより伝わり易くなることにより、省エネに対して有効な手段とすることができる。
【００４２】
【発明の効果】
以上のように、本発明によれば、電気面状採暖具が、断熱シートと発熱シートとカバーに３分割されて構成されていることにより、リサイクルする際の分別を容易ならしめることができる。
【００４３】
また、断熱シートと発熱シートとは、着脱自在な機械的固定手段を有しているので、使用時のズレの発生を防ぐ効果が得られる。
【００４４】
さらに、断熱シートを軟質樹脂発泡成形により成形加工することにより、前記機械的固定手段の形状付与や、床面や、発熱シートとの空気断熱を得る凹凸形状の付与を容易に実現することができる。
【００４５】
以上のように、容易に分別が出来る構成とすることによりリサイクルが可能な電気面状採暖具を提供出来る。
【図面の簡単な説明】
【図１】  本発明の実施例１の電気面状採暖具の概略構成図
【図２】  本発明の実施例１の電気面状採暖具の断面構成図
【図３】  本発明の実施例２の電気面状採暖具の断面構成図
【図４】  本発明の実施例３の電気面状採暖具の断面構成図
【図５】  本発明の実施例４の電気面状採暖具の外観斜視図
【図６】  本発明の実施例５の電気面状採暖具の断面構成図
【図７】  本発明の実施例６の電気面状採暖具の断面構成図
【図８】  従来の電気面状採暖具の断面構成図
【符号の説明】
１  断熱シート
１−ａ  凹部
１−ｂ  機械的固定手段
１−ｃ  凹凸形状
２  発熱シート
３  カバー
４  軟質発泡樹脂
５  裏面材
６  表面材
７  防滑シート
８  面ファスナー
【図１】
0003997839.tif 000002
【図２】
0003997839.tif 000003
【図３】
0003997839.tif 000004
【図４】
0003997839.tif 000005
【図５】
0003997839.tif 000006
【図６】
0003997839.tif 000007
【図７】
0003997839.tif 000008
【図８】
0003997839.tif 000009